(57)【要約】【課題】１つの記録媒体に記録されている複数の映像データに基づく映像を、編集後の映像として同時に表示させる。【解決手段】素材データ読出部２１２は、エディットリストにしたがって、光ディスクから編集データを構成する素材データを含むセットを読み出す。プロキシデータ読出部２１３は、光ディスクから編集データを構成するプロキシデータを含むセットのプロキシデータを読み出す。合成部２１４は、編集データを構成する素材データとプロキシデータを合成する。映像表示I/F５８は、合成の結果得られる合成データに基づいて、素材データに対応する素材映像を、表示装置の親画面に表示させるとともに、プロキシデータに対応するプロキシ映像を、表示装置の子画面に表示させる。本発明は、例えば、光ディスクを再生する装置に適用することができる。【選択図】図１６
2008177955.tif 000002
【特許請求の範囲】
【請求項１】
記録媒体に記録されている、第１の映像データと、前記第１の映像データまたは第２の映像データの解像度を低くした低解像度データとに基づいて、表示装置に映像を表示させる再生装置において、
前記記録媒体に記録されている、編集後の映像データである編集映像データの構成を表す編集情報を読み出す編集情報読出手段と、
前記編集情報にしたがって、前記記録媒体から、前記編集映像データを構成する前記第１の映像データと前記低解像度データを読み出す映像読出手段と、
読み出された前記第１の映像データと前記低解像度データを合成する合成手段と、
合成の結果得られる合成データに基づいて、前記第１の映像データに対応する映像を、前記表示装置の第１の画面に表示させるとともに、前記低解像度データに対応する映像を、前記表示装置の第２の画面に表示させる表示制御手段と
を備える再生装置。
【請求項２】
音声データに基づいて、音声を出力する出力手段
をさらに備え、
前記編集情報は、前記編集映像データと、その編集映像データに対応する音声データとからなる編集データの構成を表す情報であり、
前記映像読出手段は、前記編集情報にしたがって、前記記録媒体に記録されている前記編集映像データを構成する第１の映像データに対応する音声データと、前記低解像度データに対応する音声データのうちのいずれか一方の音声データも読み出し、
前記出力手段は、読み出された前記音声データに基づいて、前記音声を出力する
請求項１に記載の再生装置。
【請求項３】
記録媒体に記録されている、第１の映像データと、前記第１の映像データまたは第２の映像データの解像度を低くした低解像度データとに基づいて、表示装置に映像を表示させる再生装置の再生方法において、
前記記録媒体に記録されている、編集後の映像データである編集映像データの構成を表す編集情報を読み出し、
前記編集情報にしたがって、前記記録媒体から、前記編集映像データを構成する前記第１の映像データと前記低解像度データを読み出し、
読み出された前記第１の映像データと前記低解像度データを合成し、
合成の結果得られる合成データに基づいて、前記第１の映像データに対応する映像を、前記表示装置の第１の画面に表示させるとともに、前記低解像度データに対応する映像を、前記表示装置の第２の画面に表示させる
ステップを含む再生方法。
【請求項４】
記録媒体に記録されている、第１の映像データと、前記第１の映像データまたは第２の映像データの解像度を低くした低解像度データとに基づいて、表示装置に映像を表示させる再生処理を、コンピュータに行わせるプログラムにおいて、
前記記録媒体に記録されている、編集後の映像データである編集映像データの構成を表す編集情報を読み出し、
前記編集情報にしたがって、前記記録媒体から、前記編集映像データを構成する前記第１の映像データと前記低解像度データを読み出し、
読み出された前記第１の映像データと前記低解像度データを合成し、
合成の結果得られる合成データに基づいて、前記第１の映像データに対応する映像を、前記表示装置の第１の画面に表示させるとともに、前記低解像度データに対応する映像を、前記表示装置の第２の画面に表示させる
ステップを含む再生処理をコンピュータに行わせるプログラム。
【請求項５】
記録媒体に記録されている映像データの編集後の映像データである編集映像データの構成を表す編集情報を、前記記録媒体に記録させる記録装置において、
前記編集映像データを構成する映像データと、前記映像データの解像度を低くした低解像度データを指定する映像指定手段と、
前記編集情報にしたがって編集映像データに対応する映像を表示する編集表示装置の、第１の画面と第２の画面のうちのいずれか一方を、指定される前記映像データまたは前記低解像度データに対応する映像を表示させる画面として指定する画面指定手段と、
前記映像データを指定する情報と、その映像データに対応する映像を表示させる画面を指定する情報とを対応付けた情報である映像指定情報、および、前記低解像度データを指定する情報と、その低解像度データに対応する映像を表示させる画面を指定する情報とを対応付けた情報である低解像指定情報を、前記編集情報として、前記記録媒体に記録させる記録制御手段と
を備える記録装置。
【請求項６】
前記画面指定手段により前記第１の画面が指定される場合、前記記録媒体から前記映像データを読み出し、前記画面指定手段により第２の画面が指定される場合、前記記録媒体から前記低解像度データを読み出す読出手段と、
読み出された前記映像データに基づいて、前記映像データに対応する映像を表示する映像表示装置の前記第１の画面に映像を表示させ、読み出された前記低解像度データに基づいて、前記映像表示装置の前記第２の画面に映像を表示させる表示制御手段と
をさらに備え、
前記映像指定手段は、前記第１の画面に表示される映像の映像データ、または、前記第２の画面に表示される映像の低解像度データを指定する
請求項５に記載の記録装置。
【請求項７】
前記映像表示装置の第１の画面の表示対象として、前記記録媒体に記録されている映像データに対応する映像、または、前記編集映像データを構成する映像データに対応する映像を指定する表示対象指定手段
をさらに備え、
前記表示対象指定手段は、前記映像表示装置の第２の画面の表示対象として、前記記録媒体に記録されている低解像度データに対応する映像、または、前記編集映像データを構成する低解像度データに対応する映像を指定する
請求項６に記載の記録装置。
【請求項８】
記録媒体に記録されている映像データの編集後の映像データである編集映像データの構成を表す編集情報を、前記記録媒体に記録させる記録装置の記録方法において、
前記編集映像データを構成する映像データと、前記映像データの解像度を低くした低解像度データを指定するための操作を受け付け、
前記編集情報にしたがって編集映像データに対応する映像を表示する編集表示装置の、第１の画面と第２の画面のうちのいずれか一方を、指定される前記映像データまたは前記低解像度データに対応する映像を表示させる画面として指定するための操作を受け付け、
前記映像データを指定する情報と、その映像データに対応する映像を表示させる画面を指定する情報とを対応付けた情報である映像指定情報、および、前記低解像度データを指定する情報と、その低解像度データに対応する映像を表示させる画面を指定する情報とを対応付けた情報である低解像指定情報を、前記編集情報として、前記記録媒体に記録させる
ステップを含む記録方法。
【請求項９】
記録媒体に記録されている映像データの編集後の映像データである編集映像データの構成を表す編集情報を、前記記録媒体に記録させる記録処理を、コンピュータに行わせるプログラムにおいて、
前記編集映像データを構成する映像データと、前記映像データの解像度を低くした低解像度データを指定するための操作を受け付け、
前記編集情報にしたがって編集映像データに対応する映像を表示する編集表示装置の、第１の画面と第２の画面のうちのいずれか一方を、指定される前記映像データまたは前記低解像度データに対応する映像を表示させる画面として指定するための操作を受け付け、
前記映像データを指定する情報と、その映像データに対応する映像を表示させる画面を指定する情報とを対応付けた情報である映像指定情報、および、前記低解像度データを指定する情報と、その低解像度データに対応する映像を表示させる画面を指定する情報とを対応付けた情報である低解像指定情報を、前記編集情報として、前記記録媒体に記録させる
ステップを含む記録処理をコンピュータに行わせるプログラム。
【発明の詳細な説明】
【技術分野】
【０００１】
本発明は、再生装置および再生方法、記録装置および記録方法、並びにプログラムに関し、特に、１つの記録媒体に記録されている複数の映像データに基づく映像を、編集後の映像として同時に表示させることができるようにした再生装置および再生方法、記録装置および記録方法、並びにプログラムに関する。
【背景技術】
【０００２】
従来、映像データを編集する編集装置として、テープデバイスに記録されている映像データを編集するVTR（Video Tape Recorder）がある。また、１枚の光ディスクに記録されている映像データをノンリニア編集する光ディスク装置がある（例えば、特許文献１参照）。このような光ディスク装置では、例えば、編集後の映像や音声のデータの構成を表すエディットリスト（編集情報）を作成することにより編集を行う。
【０００３】
【特許文献１】特開２００４−３４３２１７号公報
【発明の開示】
【発明が解決しようとする課題】
【０００４】
ところで、1枚の光ディスクに記録されている複数の映像データに対応する映像を、編集後の映像として同時に表示させたいという要望があった。しかしながら、1枚の光ディスクに記録されている複数の映像データを合成することにより得られる合成データを、編集後の映像のデータとして、エディットリストを作成する装置は考えられていなかった。
【０００５】
本発明は、このような状況に鑑みてなされたものであり、１つの記録媒体に記録されている複数の映像データに基づく映像を、編集後の映像として同時に表示させることができるようにするものである。
【課題を解決するための手段】
【０００６】
本発明の第１の側面の再生装置は、記録媒体に記録されている、第１の映像データと、前記第１の映像データまたは第２の映像データの解像度を低くした低解像度データとに基づいて、表示装置に映像を表示させる再生装置において、前記記録媒体に記録されている、編集後の映像データである編集映像データの構成を表す編集情報を読み出す編集情報読出手段と、前記編集情報にしたがって、前記記録媒体から、前記編集映像データを構成する前記第１の映像データと前記低解像度データを読み出す映像読出手段と、読み出された前記第１の映像データと前記低解像度データを合成する合成手段と、合成の結果得られる合成データに基づいて、前記第１の映像データに対応する映像を、前記表示装置の第１の画面に表示させるとともに、前記低解像度データに対応する映像を、前記表示装置の第２の画面に表示させる表示制御手段とを備える。
【０００７】
本発明の第１の側面の再生装置は、音声データに基づいて、音声を出力する出力手段をさらに設け、前記編集情報は、前記編集映像データと、その編集映像データに対応する音声データとからなる編集データの構成を表す情報であり、前記映像読出手段は、前記編集情報にしたがって、前記記録媒体に記録されている前記編集映像データを構成する第１の映像データに対応する音声データと、前記低解像度データに対応する音声データのうちのいずれか一方の音声データも読み出し、前記出力手段は、読み出された前記音声データに基づいて、前記音声を出力することができる。
【０００８】
本発明の第１の側面の再生方法は、記録媒体に記録されている、第１の映像データと、前記第１の映像データまたは第２の映像データの解像度を低くした低解像度データとに基づいて、表示装置に映像を表示させる再生装置の再生方法において、前記記録媒体に記録されている、編集後の映像データである編集映像データの構成を表す編集情報を読み出し、前記編集情報にしたがって、前記記録媒体から、前記編集映像データを構成する前記第１の映像データと前記低解像度データを読み出し、読み出された前記第１の映像データと前記低解像度データを合成し、合成の結果得られる合成データに基づいて、前記第１の映像データに対応する映像を、前記表示装置の第１の画面に表示させるとともに、前記低解像度データに対応する映像を、前記表示装置の第２の画面に表示させるステップを含む。
【０００９】
本発明の第１の側面のプログラムは、記録媒体に記録されている、第１の映像データと、前記第１の映像データまたは第２の映像データの解像度を低くした低解像度データとに基づいて、表示装置に映像を表示させる再生処理を、コンピュータに行わせるプログラムにおいて、前記記録媒体に記録されている、編集後の映像データである編集映像データの構成を表す編集情報を読み出し、前記編集情報にしたがって、前記記録媒体から、前記編集映像データを構成する前記第１の映像データと前記低解像度データを読み出し、読み出された前記第１の映像データと前記低解像度データを合成し、合成の結果得られる合成データに基づいて、前記第１の映像データに対応する映像を、前記表示装置の第１の画面に表示させるとともに、前記低解像度データに対応する映像を、前記表示装置の第２の画面に表示させるステップを含む再生処理をコンピュータに行わせる。
【００１０】
本発明の第２の側面の記録装置は、記録媒体に記録されている映像データの編集後の映像データである編集映像データの構成を表す編集情報を、前記記録媒体に記録させる記録装置において、前記編集映像データを構成する映像データと、前記映像データの解像度を低くした低解像度データを指定する映像指定手段と、前記編集情報にしたがって編集映像データに対応する映像を表示する編集表示装置の、第１の画面と第２の画面のうちのいずれか一方を、指定される前記映像データまたは前記低解像度データに対応する映像を表示させる画面として指定する画面指定手段と、前記映像データを指定する情報と、その映像データに対応する映像を表示させる画面を指定する情報とを対応付けた情報である映像指定情報、および、前記低解像度データを指定する情報と、その低解像度データに対応する映像を表示させる画面を指定する情報とを対応付けた情報である低解像指定情報を、前記編集情報として、前記記録媒体に記録させる記録制御手段とを備える。
【００１１】
本発明の第２の側面の記録装置は、前記画面指定手段により前記第１の画面が指定される場合、前記記録媒体から前記映像データを読み出し、前記画面指定手段により第２の画面が指定される場合、前記記録媒体から前記低解像度データを読み出す読出手段と、読み出された前記映像データに基づいて、前記映像データに対応する映像を表示する映像表示装置の前記第１の画面に映像を表示させ、読み出された前記低解像度データに基づいて、前記映像表示装置の前記第２の画面に映像を表示させる表示制御手段とをさらに設け、前記映像指定手段は、前記第１の画面に表示される映像の映像データ、または、前記第２の画面に表示される映像の低解像度データを指定することができる。
【００１２】
本発明の第２の側面の記録装置は、前記映像表示装置の第１の画面の表示対象として、前記記録媒体に記録されている映像データに対応する映像、または、前記編集映像データを構成する映像データに対応する映像を指定する表示対象指定手段をさらに設け、前記表示対象指定手段は、前記映像表示装置の第２の画面の表示対象として、前記記録媒体に記録されている低解像度データに対応する映像、または、前記編集映像データを構成する低解像度データに対応する映像を指定することができる。
【００１３】
本発明の第２の側面の記録方法は、記録媒体に記録されている映像データの編集後の映像データである編集映像データの構成を表す編集情報を、前記記録媒体に記録させる記録装置の記録方法において、前記編集映像データを構成する映像データと、前記映像データの解像度を低くした低解像度データを指定するための操作を受け付け、前記編集情報にしたがって編集映像データに対応する映像を表示する編集表示装置の、第１の画面と第２の画面のうちのいずれか一方を、指定される前記映像データまたは前記低解像度データに対応する映像を表示させる画面として指定するための操作を受け付け、前記映像データを指定する情報と、その映像データに対応する映像を表示させる画面を指定する情報とを対応付けた情報である映像指定情報、および、前記低解像度データを指定する情報と、その低解像度データに対応する映像を表示させる画面を指定する情報とを対応付けた情報である低解像指定情報を、前記編集情報として、前記記録媒体に記録させるステップを含む。
【００１４】
本発明の第２の側面のプログラムは、記録媒体に記録されている映像データの編集後の映像データである編集映像データの構成を表す編集情報を、前記記録媒体に記録させる記録処理を、コンピュータに行わせるプログラムにおいて、前記編集映像データを構成する映像データと、前記映像データの解像度を低くした低解像度データを指定するための操作を受け付け、前記編集情報にしたがって編集映像データに対応する映像を表示する編集表示装置の、第１の画面と第２の画面のうちのいずれか一方を、指定される前記映像データまたは前記低解像度データに対応する映像を表示させる画面として指定するための操作を受け付け、前記映像データを指定する情報と、その映像データに対応する映像を表示させる画面を指定する情報とを対応付けた情報である映像指定情報、および、前記低解像度データを指定する情報と、その低解像度データに対応する映像を表示させる画面を指定する情報とを対応付けた情報である低解像指定情報を、前記編集情報として、前記記録媒体に記録させるステップを含む記録処理をコンピュータに行わせる。
【００１５】
本発明の第１の側面においては、記録媒体に記録されている、編集後の映像データである編集映像データの構成を表す編集情報が読み出され、前記編集情報にしたがって、前記記録媒体から、前記編集映像データを構成する前記第１の映像データと、前記第１の映像データまたは第２の映像データの解像度を低くした低解像度データが読み出され、読み出された前記第１の映像データと前記低解像度データが合成され、合成の結果得られる合成データに基づいて、前記第１の映像データに対応する映像が、表示装置の第１の画面に表示されるとともに、前記低解像度データに対応する映像が、前記表示装置の第２の画面に表示される。
【００１６】
本発明の第２の側面においては、記録媒体に記録されている映像データの編集後の映像データである編集映像データを構成する映像データと、前記映像データの解像度を低くした低解像度データを指定するための操作が受け付けられ、前記編集映像データの構成を表す編集情報にしたがって編集映像データに対応する映像を表示する編集表示装置の、第１の画面と第２の画面のうちのいずれか一方を、指定される前記映像データまたは前記低解像度データに対応する映像を表示させる画面として指定するための操作が受け付けられ、前記映像データを指定する情報と、その映像データに対応する映像を表示させる画面を指定する情報とを対応付けた情報である映像指定情報、および、前記低解像度データを指定する情報と、その低解像度データに対応する映像を表示させる画面を指定する情報とを対応付けた情報である低解像指定情報が、前記編集情報として、前記記録媒体に記録される。
【００１７】
再生装置は、独立した装置であっても良いし、記録再生装置の再生処理を行うブロックであっても良い。また、記録装置は、独立した装置であっても良いし、記録再生装置の記録処理を行うブロックであっても良い。
【発明の効果】
【００１８】
以上のように、本発明の第１の側面によれば、映像を再生することができる。また、本発明の第１の側面によれば、編集後の映像データの構成を表す編集情報に基づいて、１つの記録媒体に記録されている複数の映像データに基づく映像を、編集後の映像として同時に表示させることができる。
【００１９】
本発明の第２の側面によれば、編集情報を記録させることができる。また、本発明の第２の側面によれば、編集情報に基づいて、１つの記録媒体に記録されている複数の映像データに基づく映像を、編集後の映像として同時に表示させることができる。
【発明を実施するための最良の形態】
【００２０】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２１】
本発明の第１の側面の再生装置は、
記録媒体（図１の光ディスク４３）に記録されている、第１の映像データと、前記第１の映像データまたは第２の映像データの解像度を低くした低解像度データとに基づいて、表示装置（例えば、表示装置４６）に映像を表示させる再生装置（例えば、図１の光ディスク装置１０）において、
前記記録媒体に記録されている、編集後の映像データである編集映像データの構成を表す編集情報（例えば、エディットリスト）を読み出す編集情報読出手段（例えば、図１６のエディットリスト読出部２１１）と、
前記編集情報にしたがって、前記記録媒体から、前記編集映像データを構成する前記第１の映像データと前記低解像度データを読み出す映像読出手段（例えば、図１６の素材データ読出部２１２とプロキシデータ読出部２１３）と、
読み出された前記第１の映像データと前記低解像度データを合成する合成手段(例えば、図１６の合成部２１４)と、
前記合成の結果得られる合成データに基づいて、前記第１の映像データに対応する映像を、前記表示装置の第１の画面に表示させるとともに、前記低解像度データに対応する映像を、前記表示装置の第２の画面に表示させる表示制御手段（例えば、図１の映像表示I/F５８）と
を備える。
【００２２】
本発明の第１の側面の再生装置は、
音声データに基づいて、音声を出力する出力手段（例えば、出力部２１５）
をさらに備え、
前記編集情報は、前記編集映像データと、その編集映像データに対応する音声データとからなる編集データの構成を表す情報であり、
前記映像読出手段は、前記編集情報にしたがって、前記記録媒体に記録されている前記編集映像データを構成する第１の映像データに対応する音声データと、前記低解像度データに対応する音声データのうちのいずれか一方の音声データも読み出し、
前記出力手段は、読み出された前記音声データに基づいて、前記音声を出力する。
【００２３】
本発明の一側面の再生方法は、
記録媒体（例えば、図１の光ディスク４３）に記録されている、第１の映像データと、前記第１の映像データまたは第２の映像データの解像度を低くした低解像度データとに基づいて、表示装置（例えば、図１の表示装置４６）に映像を表示させる再生装置（例えば、図１の光ディスク装置１０）の再生方法において、
前記記録媒体に記録されている、編集後の映像データである編集映像データの構成を表す編集情報を読み出し（例えば、図１７のステップＳ１１１）、
前記編集情報にしたがって、前記記録媒体から、前記編集映像データを構成する前記第１の映像データと前記低解像度データを読み出し（例えば、図１７のステップＳ１１２とＳ１１４）、
読み出された前記第１の映像データと前記低解像度データを合成し（例えば、図１７のステップＳ１１５）、
前記合成の結果得られる合成データに基づいて、前記第１の映像データに対応する映像を、前記表示装置の第１の画面に表示させるとともに、前記低解像度データに対応する映像を、前記表示装置の第２の画面に表示させる（例えば、図１７のステップＳ１１６）
ステップを含む。
【００２４】
本発明の第２の側面の記録装置は、
記録媒体(例えば、図１の光ディスク４３)に記録されている映像データの編集後の映像データである編集映像データの構成を表す編集情報（例えば、エディットリスト）を、前記記録媒体に記録させる記録装置（例えば、図１の光ディスク装置１０）において、
前記編集映像データを構成する映像データと、前記映像データの解像度を低くした低解像度データを指定する映像指定手段（例えば、図９の入力ボタン１７１）と、
前記編集情報にしたがって編集映像データに対応する映像を表示する編集表示装置の、第１の画面と第２の画面のうちのいずれか一方を、指定される前記映像データまたは前記低解像度データに対応する映像を表示させる画面として指定する画面指定手段（例えば、図９のメインボタン１９１またはサブボタン１９２）と、
前記映像データを指定する情報と、その映像データに対応する映像を表示させる画面を指定する情報とを対応付けた情報である映像指定情報、および、前記低解像度データを指定する情報と、その低解像度データに対応する映像を表示させる画面を指定する情報とを対応付けた情報である低解像指定情報を、前記編集情報として、前記記録媒体に記録させる記録制御手段（例えば、図２の編集部８４）と
を備える。
【００２５】
本発明の第２の側面の記録装置は、
前記画面指定手段により前記第１の画面が指定される場合、前記記録媒体から前記映像データを読み出し、前記画面指定手段により第２の画面が指定される場合、前記記録媒体から前記低解像度データを読み出す読出手段（例えば、図２の再生対象読出部８１）と、
読み出された前記映像データに基づいて、前記映像データに対応する映像を表示する映像表示装置の前記第１の画面に映像を表示させ、読み出された前記低解像度データに基づいて、前記映像表示装置の前記第２の画面に映像を表示させる表示制御手段（例えば、図２の表示制御部８２）と
をさらに備え、
前記映像指定手段は、前記第１の画面に表示される映像の映像データ、または、前記第２の画面に表示される映像の低解像度データを指定する。
【００２６】
本発明の第２の側面の記録装置は、
前記映像表示装置の第１の画面の表示対象として、前記記録媒体に記録されている映像データに対応する映像、または、前記編集映像データを構成する映像データに対応する映像を指定する表示対象指定手段（例えば、図９の素材編集ボタン１８２）
をさらに備え、
前記表示対象指定手段は、前記映像表示装置の第２の画面の表示対象として、前記記録媒体に記録されている低解像度データに対応する映像、または、前記編集映像データを構成する低解像度データに対応する映像を指定する。
【００２７】
本発明の第２の側面の記録方法は、
記録媒体（例えば、図１の光ディスク４３）に記録されている映像データの編集後の映像データである編集映像データの構成を表す編集情報（例えば、エディットリスト）を、前記記録媒体に記録させる記録装置（例えば、図１の光ディスク装置１０）の記録方法において、
前記編集映像データを構成する映像データと、前記映像データの解像度を低くした低解像度データを指定するための操作を受け付け(例えば、図１４のステップＳ７７)、
前記編集情報にしたがって編集映像データに対応する映像を表示する編集表示装置の、第１の画面と第２の画面のうちのいずれか一方を、指定される前記映像データまたは前記低解像度データに対応する映像を表示させる画面として指定するための操作を受け付け（例えば、図１２のステップＳ３２）、
前記映像データを指定する情報と、その映像データに対応する映像を表示させる画面を指定する情報とを対応付けた情報である映像指定情報、および、前記低解像度データを指定する情報と、その低解像度データに対応する映像を表示させる画面を指定する情報とを対応付けた情報である低解像指定情報を、前記編集情報として、前記記録媒体に記録させる（例えば、図１４のステップＳ７８）
ステップを含む。
【００２８】
以下、本発明を適用した具体的な実施の形態について、図面を参照しながら詳細に説明する。
【００２９】
図１は、本発明を適用した光ディスク装置１０の一実施の形態の構成例を示すブロック図である。
【００３０】
図１の光ディスク装置１０では、映像入力I/F（Interface）５０、音声入力I/F５１、マイクロコンピュータ（以下、マイコンという）５２、一時記憶メモリI/F５３、光ディスクドライブI/F５４、操作部I/F５５、音声出力I/F５６、シリアルデータI/F５７、映像表示I/F５８、メモリカードI/F５９、ネットワークI/F６０、ハードディスクドライブI/F６１、およびドライブI/F６２が、データバスを介して、システムバス６３に接続されている。
【００３１】
映像入力I/F５０には、外部に設けられたカメラ４１が接続されており、カメラ４１により撮影された結果得られる映像信号が、カメラ４１から入力される。映像入力I/F５０は、その映像信号に含まれる、SDI（Serial Digital Interface）規格に準拠した信号、コンポジット信号、コンポーネント信号などの同期信号を、映像データとして、システムバス６３を介して、マイコン５２、映像表示I/F５８、または、一時記憶メモリI/F５３に供給する。
【００３２】
音声入力I/F５１には、外部に設けられたマイクロフォン４２が接続されており、マイクロフォン４２により取得された音声のアナログ信号である音声信号が入力される。音声入力I/F５１は、その音声信号に対してA/D（Analog/Digital）変換を行い、その結果得られるデジタル信号を音声データとして、システムバス６３を介して、マイコン５２または一時記憶メモリI/F５３に供給する。
【００３３】
マイコン５２は、CPU(Central Processing Unit)、ROM(Read Only Memory)、およびRAM（Random Access Memory）により構成される。マイコン５２のCPUは、ROMまたはハードディスク６７に記録されているプログラムにしたがって、操作部I/F５５からの操作信号などに応じて、光ディスク装置１０の各部を制御する。
【００３４】
例えば、CPUは、映像入力I/F５０から供給される映像データと、音声入力I/F５１から供給される音声データとからなる素材データを用いて、その映像データの解像度を低くしたデータと、音声データのデータ量を少なくしたデータとからなるプロキシデータを作成し、一時記憶メモリI/F５３に供給する。
【００３５】
また、CPUは、一時記憶メモリI/F５３から供給される素材データまたはプロキシデータのうちの音声データを、システムバス６３を介して音声出力I/F５６に供給する。さらに、CPUは、一時記憶メモリI/F５３から供給される素材データとプロキシデータのうちの映像データどうしを合成し、合成の結果得られる合成データを、システムバス６３を介して映像表示I/F５８に供給する。また、CPUは、一時記憶メモリI/F５３から供給される素材データとプロキシデータのうちの映像データを、そのまま映像表示I/F５８に供給する。RAMには、CPUが実行するプログラムやデータなどが適宜記憶される。
【００３６】
一時記憶メモリI/F５３には、バッファなどの一時記憶メモリ６４が接続されており、一時記憶メモリI/F５３は、映像入力I/F５０からの映像データと、音声入力I/F５１からの音声データとからなる素材データを、一時記憶メモリ６４の素材領域７１に記憶させる。また、一時記憶メモリI/F５３は、マイコン５２から供給されるプロキシデータを、一時記憶メモリ６４のプロキシ領域７２に記憶させる。
【００３７】
さらに、一時記憶メモリI/F５３は、一時記憶メモリ６４の素材領域７１に記憶されている、映像入力I/F５０からの映像データおよび音声入力I/F５１からの音声データからなる素材データと、プロキシ領域７２に記憶されている、マイコン５２からのプロキシデータとを読み出し、システムバス６３を介して、光ディスクドライブI/F５４に供給する。
【００３８】
また、一時記憶メモリI/F５３は、光ディスクドライブI/F５４から供給されるクリップ（詳細は後述する）のうちの素材データを、一時記憶メモリ６４の素材領域７１に記憶させたり、クリップのプロキシデータを一時記憶メモリ６４のプロキシ領域７２に記憶させる。さらに、一時記憶メモリI/F５３は、一時記憶メモリ６４の素材領域７１またはプロキシ領域７２に記憶されている、光ディスクドライブI/F５４から供給された素材データまたはプロキシデータを、マイコン５２に供給する。
【００３９】
なお、クリップとは、例えば、１回の撮影処理（撮影開始から撮影終了までの撮影処理）により得られた映像データと、その映像データに対応する音声データ、メタデータ等の集合体を指す。
【００４０】
光ディスクドライブI/F５４には、光ディスク４３が装着される光ディスクドライブ６５が接続されている。光ディスクドライブI/F５４は、光ディスクドライブ６５を制御して、クリップやクリップのプロキシデータを読み出し、システムバス６３を介して一時記憶メモリI/F５３に供給する。また、光ディスクドライブI/F５４は、光ディスクドライブ６５を制御し、一時記憶メモリI/F５３からの素材データ、プロキシデータなどを、光ディスク４３にクリップ単位で記録させる。
【００４１】
操作部I/F５５には、外部に設けられた操作ボタン、キーボード、マウス、リモートコントローラから送信されてくる指令を受信する受信部などの操作部４４が接続される。操作部I/F５５は、ユーザによる操作部４４の操作に応じて、その操作を表す操作信号を生成し、その操作信号をシステムバス６３を介してマイコン５２に供給する。また、操作部I/F５５は、操作部４４の内部に設けられたLED（Light Emitting Diode）などの発光素子を発光させる。
【００４２】
音声出力I/F５６には、外部に設けられたスピーカ４５が接続され、音声出力I/F５６は、マイコン５２から供給される音声データに対して、D/A（Digital/Audio）変換を行い、その結果得られるアナログ信号を増幅して、スピーカ４５に供給する。スピーカ４５は、音声出力I/F５６からのアナログ信号に基づいて、音声を外部に出力する。なお、音声出力I/F５６は、音声データをそのままスピーカ４５に供給し、スピーカ４５が、D/A変換等を行い、その結果得られるアナログ信号に基づいて音声を外部に出力するようにしてもよい。
【００４３】
シリアルデータI/F５７は、必要に応じて、図示せぬ外部のコンピュータ等のデジタル機器との間で、データをやり取りする。映像表示I/F５８には、外部に設けられた表示装置４６が接続され、映像表示I/F５８は、映像入力I/F５０からの映像データ、もしくは、マイコン５２からの合成データまたは映像データに対して、D/A変換を行い、その結果得られるコンポジット信号、コンポーネント信号などのアナログ信号を増幅して、表示装置４６に供給する。表示装置４６は、映像表示I/F５８からのアナログ信号に基づいて映像を表示する。
【００４４】
その結果、表示装置４６には、例えば、合成データに対応して、素材データに対応する映像である素材映像と、プロキシデータに対応する映像であるプロキシ映像が、編集後の映像である編集映像として、同時に表示される。なお、表示装置４６には、編集映像とともに、その編集映像のタイムコードが表示されるようにしてもよい。
【００４５】
また、映像表示I/F５８は、映像データをそのまま表示装置４６に供給し、表示装置４６が、D/A変換等を行い、その結果得られるアナログ信号に基づいて映像を外部に出力するようにしてもよい。
【００４６】
メモリカードI/F５９は、必要に応じて光ディスク装置１０に装着されるメモリカード(図示せず)に対して、素材データ、各種の設定データなどの読み書きを行う。ネットワークI/F６０は、必要に応じて、インターネットやローカルエリアネットワークといった、有線または無線のネットワークを介して接続される他の装置との間で、データのやり取りを行う。
【００４７】
例えば、ネットワークI/F６０は、他の装置からネットワークを介してプログラムを取得し、システムバス６３、ハードディスクドライブI/F６１、およびハードディスクドライブ６６を介して、ハードディスク６７に記録させる。
【００４８】
ハードディスクドライブI/F６１には、ハードディスク６７が装着されるハードディスクドライブ６６が接続されている。ハードディスクドライブI/F６１は、ハードディスクドライブ６６を制御し、ハードディスク６７に対するデータの読み書きを行う。例えば、ハードディスクドライブI/F６１は、ハードディスクドライブ６６を制御し、ネットワークI/F６０とシステムバス６３を介して供給されるプログラムを、ハードディスク６７に記録させる。
【００４９】
ドライブI/F６２には、ドライブ６８が接続されている。ドライブI/F６２は、ドライブ６８を制御し、ドライブ６８に磁気ディスク、光ディスク、光磁気ディスク、或いは半導体メモリなどのリムーバブルメディア４７が装着されたとき、それらを駆動し、そこに記録されているプログラムやデータなどを取得する。取得されたプログラムやデータは、必要に応じてハードディスクドライブI/F６１などを介してハードディスク６７に転送され、記録される。
【００５０】
システムバス６３は、そこにデータバスを介して接続されている各部の間でのデータのやり取りを仲介する。
【００５１】
次に、図１の光ディスク装置１０において、マイコン５２は、所定のプログラムを実行することにより、素材データをノンリニア編集する編集処理部として機能する。
【００５２】
図２は、そのような編集処理部８０の機能的な構成例を示している。
【００５３】
図２の編集処理部８０は、再生対象読出部８１、表示制御部８２、出力部８３、および編集部８４により構成される。なお、各部は、必要に応じて相互にデータを授受することが可能とされている。
【００５４】
再生対象読出部８１は、読出部９１と分離部９２により構成される。
【００５５】
読出部９１は、図１の操作部I/F５５から供給される操作信号に応じて、光ディスクドライブI/F５４を制御し、光ディスクドライブ６５に装着されている光ディスク４３からエディットリストを読み出して、編集部８４に供給する。また、読出部９１は、光ディスクドライブI/F５４を制御し、光ディスク４３から、プロキシデータ、プロキシデータが付加された素材データなどを読み出して、分離部９２に供給する。
【００５６】
分離部９２は、一時記憶メモリI/F５３を制御し、読出部９１から供給されるプロキシデータを一時記憶メモリ６４のプロキシ領域７２に記憶させる。また、分離部９２は、読出部９１から供給されるプロキシデータが付加された素材データから、素材データを分離する。分離部９２は、一時記憶メモリI/F５３を制御して、分離した素材データを一時記憶メモリ６４の素材領域７１に記憶させる。
【００５７】
表示制御部８２は、操作部I/F５５から供給される操作信号に応じて、一時記憶メモリI/F５３を制御し、一時記憶メモリ６４の素材領域７１に記憶されている素材データのうちの映像データ、または、プロキシ領域７２に記憶されているプロキシデータのうちの映像データを読み出す。そして、表示制御部８２は、読み出した映像データを映像表示I/F５８に供給する。
【００５８】
出力部８３は、操作部I/F５５から供給される操作信号に応じて、一時記憶メモリI/F５３を制御し、一時記憶メモリ６４の素材領域７１に記憶されている素材データのうちの音声データ、または、プロキシ領域７２に記憶されているプロキシデータのうちの音声データを読み出す。また、出力部８３は、読み出した音声データを音声出力I/F５６に供給し、その音声データに対応する音声をスピーカ４５から出力させる。
【００５９】
編集部８４は、操作部I/F５５から供給される操作信号に応じてエディットリストを作成する。編集部８４は、光ディスクドライブI/F５４を制御し、作成したエディットリストを光ディスク４３に記録させる。
【００６０】
図３は、図１の光ディスク４３に記録されているファイルのディレクトリ構造の例を示している。
【００６１】
図３において、シンボル１２１は、１つのディレクトリを表している。なお、符号は付していないが、シンボル（ディレクトリ）１２１と同一のその他のシンボルも、１つのディレクトリを表している。また、シンボル１２２は、１つのファイルを示している。なお、符号は付していないが、シンボル（ファイル）１２２と同一のその他のシンボルも、１つのファイルを示している。
【００６２】
なお、以下、特に断りの無い限り、ディレクトリとディレクトリのシンボルとは同一であるとみなして説明する。同様に、ファイルとファイルのシンボルとは同一であるとみなして説明する。また、各ディレクトリのそれぞれ、および、各ファイルのそれぞれの識別を容易なものとするために、以下、ファイルまたはディレクトリの後方に括弧（  ）書きでその名称を記載する。
【００６３】
図３の例では、光ディスク４３には、目次を記述するデータのファイルであり、クリップおよびエディットリストを管理するための情報を記述するインデックスファイル(INDEX.XML)１２２と、光ディスク４３の代表画のパス、光ディスク４３のタイトルやコメントなどから構成されるディスクメタデータのファイルであるディスクメタファイル（DISCMETA.XML）とが設けられている。
【００６４】
また、光ディスク４３には、クリップのうちの素材データ等のファイルが下位に設けられるクリップディレクトリ（Clip）１２１、エディットリストのファイルが下位に設けられるエディットリストディレクトリ（Edit）、および、プロキシデータのファイルが下位に設けられるプロキシディレクトリ（Sub）が設けられている。
【００６５】
クリップディレクトリ(Clip)１２１には、光ディスク４３に記録されているクリップのうちの素材データ、メタデータ等が、クリップ毎に異なるファイルとして記録される。
【００６６】
具体的には、例えば、図３は、光ディスク４３に４つのクリップのデータが記録されている場合の例を示している。
【００６７】
即ち、例えば、クリップディレクトリ１２１の下位には、光ディスク４３に記録された最初のクリップの素材データのファイルである第１のクリップファイル（C0001.MXF）と、このクリップの素材データに対応する、リアルタイム性を要求されないメタデータ（以下、ノンリアルタイムメタデータという）を含むファイルである第１のノンリアルタイムメタデータファイル（C0001M01.XML）とが設けられている。
【００６８】
また、クリップディレクトリ１２１の下位には、第１のクリップファイル（C0001.MXF）および第１のノンリアルタイムメタデータファイル（C0001M01.XML）と同様に、第２のクリップファイル（C0002.MXF）および第２のノンリアルタイムメタデータファイル（C0002M01.XML）、第３のクリップファイル（C0003.MXF）および第３のノンリアルタイムメタデータファイル（C0003M01.XML）、並びに第４のクリップファイル（C0004.MXF）および第４のノンリアルタイムメタデータファイル（C0004M01.XML）が設けられている。
【００６９】
図３において、このようなクリップディレクトリ１２１の下方に示されるエディットディレクトリ（Edit）には、光ディスク４３に記録されているエディットリストが、編集処理ごとに異なるファイルとして記録されている。
【００７０】
例えば、図３の例の場合、エディットディレクトリ（Edit）の下位には、光ディスク４３に記録されたクリップの１回目の編集処理後のエディットリストを含むファイルであるエディットリストファイル（E0001E01.SMI）と、１回目の編集処理後の素材データである編集データを構成するすべての編集区間の素材データに対応するメタデータ、または、そのメタデータに基づいて新たに生成されたメタデータを含むファイルであるエディットリスト用メタデータファイル（E0001M01.XML）とが設けられている。
【００７１】
また、図３において、このようなエディットディレクトリ（Edit）の下方に示される、プロキシディレクトリ（Sub）には、光ディスク４３に記録されているクリップのプロキシデータが、クリップ毎に異なるファイルとして記録されている。
【００７２】
例えば、図３の例の場合、プロキシディレクトリ（Sub）の下位には、光ディスク４３に記録された最初のクリップのプロキシデータのファイルである第１のプロキシファイル（C0001S01.MXF）、第２のクリップのプロキシデータのファイルである第２のプロキシファイル（C0002S01.MXF）、第３のクリップのプロキシデータのファイルである第３のプロキシファイル（C0003S01.MXF）、および第４のクリップのプロキシデータのファイルである第４のプロキシファイル（C0004S01.MXF）が設けられる。
【００７３】
さらに、光ディスク４３には、クリップ、エディットリスト、およびプロキシデータ以外のデータのファイルが設けられる一般ディレクトリ（General）が設けられている。
【００７４】
図４は、図３のクリップファイルとプロキシファイルのフォーマットの例を示している。
【００７５】
図４のＡに示すように、クリップファイルとプロキシファイルは、素材データまたはプロキシデータが１クリップ分まとめてボディに配置され、さらに、そのボディにヘッダとフッタが付加されることにより構成される。
【００７６】
ヘッダには、その先頭から、ヘッダパーティションパック(Header Partition Pack)、ヘッダメタデータ(Header Metadata)、インデックステーブル(Index Table)が順次配置される。ヘッダパーティションパックには、ファイルフォーマット(例えば、MXF(Material exchange Format))を表すデータであるパーティションメタデータ、ボディの長さ、ボディの開始位置、ボディに配置されるデータの形式を表すデータなどが配置される。ヘッダメタデータには、例えば、UMID（Unique Material Identifier）、先頭タイムコード、ファイルの作成日、ボディに配置されたデータに関する情報(例えば、映像の画素数、アスペクト比など)などが配置される。
【００７７】
なお、UMIDとは、各ファイルをグローバルユニークに識別するためのファイル固有の識別子であって、SMPTE（Society of Motion Picture and Television Engineers）により定められる識別子を指す。
【００７８】
インデックステーブルには、ボディに配置されたデータを管理するためのデータなどが配置される。フッタは、フッタパーティションパック(Footer Partition Pack)で構成され、フッタパーティションパックには、フッタを特定するためのデータなどが配置される。
【００７９】
図４のＢに示すように、クリップファイルのボディには、１フレーム分のリアルタイム性を要求されるメタデータ(以下、リアルタイムメタデータという)が配置されるシステムアイテム、D10と呼ばれるMPEG(Moving Picture Experts Group) IMX方式で符号化された映像データ、および、AES(Audio Engineering Society)3形式の非圧縮の音声データが、KLV(Key,Length,Value)構造にKLVコーディングされて配置される。
【００８０】
KLV構造とは、その先頭から、キー(Key)、レングス(Length)、バリュー(Value)が順次配置された構造であり、キーには、バリューに配置されるデータがどのようなデータであるかを表す、SMPTE 298Mの規格に準拠した16バイトのラベルが配置される。レングスには、バリューに配置されるデータのデータ長が配置される。バリューには、実データ、即ち、ここでは、システムアイテム、映像データ、または音声データが配置される。
【００８１】
また、KLVコーティングされたシステムアイテム、映像データ、および音声データは、そのデータ長が、KAG(KLV Alignment Grid)を基準とする固定長となっている。そして、KLVコーティングされたシステムアイテム、映像データ、および音声データを固定長とするのに、スタッフィング(stuffing)のためのデータとしてのフィラー(Filler)が、やはりKLV構造とされて、KLVコーティングされたシステムアイテム、映像データ、および音声データのそれぞれの後に配置される。
【００８２】
図４のＣに示すように、プロキシファイルのボディには、所定の再生時間分（例えば、２秒分）の素材データを構成する全フレームのタイムコードが配置されるシステムアイテム、MPEG4方式で圧縮された映像データ、およびG.711方式で符号化された音声データが、上述したKLV構造にKLVコーディングされて配置される。
【００８３】
なお、音声データは、８つのチャネルの音声のデータからなり、２つのチャネルごとに４分割されて配置される。即ち、プロキシファイルのボディには、G.711方式で符号化された音声データが、G.711方式で符号化された１チャネルと２チャネルの音声データ、G.711方式で符号化された３チャネルと４チャネルの音声データ、G.711方式で符号化された５チャネルと６チャネルの音声データ、およびG.711方式で符号化された７チャネルと８チャネルの音声データの４つに分割されて配置される。
【００８４】
次に、図５を参照して、クリップファイルとプロキシファイルのデータの光ディスク４３上の記録位置について説明する。
【００８５】
図５に示すように、光ディスク４３のトラックには、クリップファイルのボディに配置される１クリップ分の映像データおよび音声データ、プロキシファイルのボディに配置されるプロキシデータ、並びに、クリップファイルとプロキシファイルのボディに配置されるシステムアイテムのそれぞれが、所定の再生時間帯（例えば、２秒間）である年輪単位に分割され、多重化されて（インターリーブされて）記録される。
【００８６】
これは、映像と音声の再生を考えた場合、その再生は、映像データとその映像データに付随する音声データが揃わないと行うことができないので、ある再生時間帯の映像データと、その同一再生時間帯の音声データを、光ディスク４３上の近い位置、即ち、例えば、隣接する位置に記録するのが望ましいからである。
【００８７】
従って、光ディスク４３のトラックには、同一の再生時間帯に再生される、年輪単位のプロキシデータ(以下、年輪プロキシデータという)、年輪単位のシステムアイテム（以下、年輪システムアイテムという）、年輪単位の音声データ（以下、年輪音声データという）、および年輪単位の映像データ（以下、年輪映像データという）が順に並べられて構成されるセットが、再生時刻の早い順に記録されていく。
【００８８】
このように、光ディスク４３のトラックには、年輪プロキシデータ、年輪システムアイテム、年輪音声データ、年輪映像データが順にまとめて配置されるので、年輪映像データと年輪音声データを読み出す場合、年輪映像データと年輪音声データだけでなく、その前に配置される年輪プロキシデータと年輪システムアイテムをともに読み出す必要がある。一方、年輪プロキシデータは、セットの最初に配置されるので、単独で読み出すことができる。
【００８９】
なお、セットには、ファイルが正常に終了されなかったときデータを復旧するためのサルベージマーカ（SM）が付加される。
【００９０】
また、１クリップ分の、サルベージマーカが付加されたセットの光ディスク４３への記録が終了した後、それに続いて、フッタおよびヘッダが光ディスク４３に記録される。
【００９１】
なお、映像データおよび音声データと、プロキシデータの年輪のサイズは、同一であってもよいし、異なっていてもよい。
【００９２】
図６は、エディットリストの例を示している。
【００９３】
即ち、図６は、XMLで記述されたエディットリストファイル（図３）の具体的な記述例を示す図である。なお、図６において、各行頭の数字は、説明の便宜上付加したものであり、XML記述の一部ではない。
【００９４】
エディットリストファイルは、編集データの構成を表すエディットリストを含むファイルであり、編集データの再生方法についても記述されている。
【００９５】
図６に示すように、エディットリストファイルのXML記述は、主にヘッドタグ（<head> </head>）で囲まれるヘッド部とボディタグ（<body> </body>）で囲まれるボディ部により構成される。図６の例では、このヘッド部は４乃至９行目に記述され、ボディ部は１０乃至２９行目に記述されている。なお、１乃至３行目には、このファイルがプロフェッショナルディスク（Professional Disc）のエディットリスト（edit list）であることを示す情報などが記述されている。
【００９６】
ヘッド部には、編集データの取り扱いと関係する情報が記述される。図６の例では、５行目の開始タグ「<layout>」と８行目の終了タグ「</layout>」の間に記述されるlayout要素は、図１の表示装置４６における、編集データに対応する映像の表示領域を指定する。
【００９７】
具体的には、図６において、６行目のroot-layout要素には、表示装置４６の全表示領域のサイズが記述されている。即ち、６行目の「width="1920"」の記述は、表示装置４６の全表示領域の横方向のサイズが1920画素であることを示しており、その後に続く「height=”1080”」の記述は、表示装置４６の全表示領域の縦方向のサイズが1080画素であることを示している。
【００９８】
また、７行目のregion要素には、指定対象である表示領域に関する情報が記述されている。７行目の「id="PinP"」の記述は、指定対象である表示領域に表示される映像の映像データが、後述するボディ部の「region="PinP"」が記述されたvideo要素の記述により指定される映像データであることを示している。
【００９９】
７行目の「left="70%"」の記述は、指定対象である表示領域の左上の位置における、全表示領域の左端からの距離の、全表示領域の横方向のサイズに対する割合が70%であることを示しており、その後に続く「top="65%"」の記述は、指定対象である表示領域の左上の位置における、全表示領域の上端からの距離の、全表示領域の縦方向のサイズに対する割合が65%であることを示している。
【０１００】
７行目の「width="20%"」の記述は、指定対象である表示領域の横方向のサイズの、全表示領域の横方向のサイズに対する割合が20%であることを示しており、その後に続く「height="20%"」の記述は、指定対象である表示領域の縦方向のサイズの、全表示領域の縦方向のサイズに対する割合が20%であることを示している。
【０１０１】
７行目の「fit="meet"」の記述は、指定対象である表示領域の表示対象の画素数が表示領域のサイズと異なる場合、表示対象の画素数が表示領域のサイズと同一になるように、表示対象を拡大または縮小することを示している。
【０１０２】
なお、以下では、表示装置４６の全表示領域を親画面といい、指定対象である表示領域を子画面という。
【０１０３】
ボディ部には、編集記述の時間的振る舞いと関係する情報が記述される。図６の例では、１１行目の開始タグ「<par>」と２８行目の終了タグ「</par>」の間に記述されるpar要素は、複数の要素を同時に再生する単純時間グループを定義する。
【０１０４】
図６の例では、第１のクリップ（図６の例では、Clip１と記述されており、例えば、図３の第１のクリップファイル（C0001.MXF）のクリップであるとする）、第２のクリップ（図６の例では、Clip2と記述されており、例えば、図３の第２のクリップファイル（C0002.MXF）のクリップであるとする）、第３のクリップのプロキシデータ（図６の例では、Sub Picture1と記述されており、例えば、図３の第３のプロキシファイル（C0003S03.MXF）のプロキシデータであるとする）、および第４のクリップのプロキシデータ（図６の例では、Sub Picture2と記述されており、例えば、図３の第４のプロキシファイル（C0004S04.MXF）のプロキシデータであるとする）が同時に再生されるように定義されている。
【０１０５】
但し、図６の例の場合、後述するように、２つのクリップどうしの再生開始時間と、２つのプロキシデータどうしの再生開始時間はそれぞれ互いにずれており、実際には、クリップとプロキシデータは、それぞれ連続して再生される。
【０１０６】
具体的には、図６において、１３乃至１５行目および１７行目乃至１９行目のref要素には、参照するクリップファイルおよび参照するクリップファイルの再生範囲等が記述されている。なお、ref要素に記述されるクリップファイルに対応するクリップの映像は、表示装置４６(図１)の親画面に表示される。
【０１０７】
１３行目の「src="urn:smpte:umid:060A2B340101010501010D431300000070D3020009350597080046020118F454"」の記述は、参照先のクリップファイルに割り当てられたUMIDが「060A2B340101010501010D431300000070D3020009350597080046020118F454」であることを示している。
【０１０８】
また、１４行目の「clipBegin="smpte-30=00:00:00:00"」の記述は、第１のクリップの再生を開始する位置、即ちサブクリップの開始位置（以下、イン点という）を、この第１のクリップのFTC（File Time Code）で示しており、単位はフレーム数である。なお、FTCは、各ファイルの先頭フレームの番号を「0」とし、その先頭フレームから順番に、各フレームに割り当てられる相対的な位置情報である。また、サブクリップとは、編集データを構成するクリップ単位の素材データまたはプロキシデータである。
【０１０９】
サブクリップ１４行目の「clipEnd="smpte-30=00:00:16:00"」の記述は、第１のクリップの再生を終了する位置、即ちサブクリップの終了位置（以下、アウト点という）を、この第１のクリップのFTCで示している。
【０１１０】
さらに、その記述に続く１４行目の「begin="smpte-30=00:00:00:00"」の記述は、第１のクリップが開始される時刻、即ち、サブクリップが開始される位置を、エディットリストのFTCで示しており、単位はフレーム数である。なお、「smpte-30」は、使用するタイムコードが、SMPTEで定義される３０フレーム毎秒のSMPTEタイムコードであることを示す記述である。
【０１１１】
また、１５行目の「trackSrc="CH1;CH2;CH3;CH4"」の記述は、第１のクリップに含まれる１チャネル乃至８チャネルの音声データのうち、再生対象とする音声データに対応するチャネル（以下、再生チャネルという）が１チャネル乃至４チャネルであることを示している。
【０１１２】
さらに、１５行目の「trackDst="CH1;CH2;CH3;CH4"」の記述は、再生チャネルである１チャネル乃至４チャネルの音声データを、そのまま１チャネル乃至４チャネルの音声データとして出力すること、即ち音声データを出力するチャネル(以下、出力チャネルという)が１チャネル乃至４チャネルであることを示している。
【０１１３】
以上のように、図６の例では、第１のクリップは、時刻「00:00:00:00」に、フレーム番号「00:00:00:00」の位置から、フレーム番号「00:00:16:00」の位置まで再生されることが、エディットリストに記述されている。なお、このとき、第１のクリップに含まれる１チャネル乃至８チャネルの音声データのうち、１チャネル乃至４チャネルの音声データが、そのままのチャネルの音声データとして再生される。
【０１１４】
また、第２のクリップについても、１７行目乃至１９行目において、第１のクリップの場合と同様に記述されている。図６の例では、第２のクリップは、時刻「00:00:16:00」に、フレーム番号「00:00:00:00」の位置から再生され、フレーム番号「00:00:14:00」の位置まで再生されることが、エディットリストに記述されている。また、このときも、第１のクリップの場合と同様に、第２のクリップに含まれる１チャネル乃至８チャネルの音声データのうち、１チャネル乃至４チャネルの音声データが、そのままのチャネルの音声データとして再生されることが記述されている。なお、第１のクリップと第２のクリップに対応する映像は親画面に表示される。
【０１１５】
また、図６において、２１乃至２３行目のvideo要素には、参照するプロキシファイルのUMIDおよび参照するプロキシファイルの再生範囲等が記述されている。２１行目の「region=PinP」は、このプロキシファイルの映像が、region要素に「id="PinP"
」が記述されるヘッダ部のlayout要素で指定される子画面に表示されることを示している。
【０１１６】
２２行目の「src="urn:smpte:umid :060A2B34010101050101084313000000D9510E0033360597080046020118F805"」の記述は、参照先のプロキシファイルに割り当てられたUMIDが「060A2B34010101050101084313000000D9510E0033360597080046020118F805」であることを示している。なお、プロキシファイルのUMIDは、対応するクリップファイルのUMIDの一部を加工したものである。
【０１１７】
また、２３行目の「clipBegin="smpte-30=00:00:00:00"」の記述は、第３のプロキシファイルの再生を開始する位置を、第３のプロキシファイルのFTCで示している。その記述に続く２３行目の「clipEnd="smpte-30=00:00:12:00"」の記述は、第３のプロキシファイルの再生を終了する位置を、第３のプロキシファイルのFTCで示している。さらに、その記述に続く２３行目の「begin="smpte-30=00:00:00:00"」の記述は、第３のクリップのプロキシデータが開始される時刻、即ち第３のクリップのプロキシデータのうちの編集データに含まれるデータが開始される位置を、エディットリストのFTCで示している。
【０１１８】
以上のように、図６の例では、第３のクリップのプロキシデータは、時刻「00:00:00:00」に、フレーム番号「00:00:00:00」の位置から、フレーム番号「00:00:12:00」の位置まで再生されることが、エディットリストに記述されている。なお、２１乃至２３行目のvideo要素には、再生チャネルと出力チャネルの記述がされていないので、第３のクリップのプロキシデータに対応する音声は出力されない。
【０１１９】
また、第４のクリップのプロキシデータについても、２５行目乃至２７行目において、第３のクリップのプロキシデータの場合と同様に記述されている。図６の例では、第４のクリップのプロキシデータは、時刻「00:00:12:00」に、フレーム番号「00:00:00:00」の位置から再生され、フレーム番号「00:00:18:00」の位置まで再生されることが、エディットリストに記述されている。なお、２５行目乃至２７行目のvideo要素にも、再生チャネルと出力チャネルの記述がされていないので、第４のクリップのプロキシデータに対応する音声も出力されない。
【０１２０】
そして、図６のエディットリストにおいては、以上のような第１のクリップの再生、第２のクリップの再生、第３のクリップのプロキシデータの再生、第４のクリップのプロキシデータの再生がpar要素により、同時に行われるように指定されている。
【０１２１】
従って、図７に示すように、時刻「00:00:00:00」から時刻「00:00:16:00」まで、第１のクリップが、フレーム番号「00:00:00:00」の位置からフレーム番号「00:00:16:00」の位置まで再生され、その第１のクリップに対応する映像が親画面に表示されるとともに、１乃至４チャネルの音声がスピーカ４５から出力される。それと同時に、第３のクリップのプロキシデータがフレーム番号「00:00:00:00」の位置から「00:00:12:00」まで再生され、それに続いて、第４のクリップのプロキシデータがフレーム番号「00:00:00:00」の位置から「00:00:04:00」まで再生されて、そのプロキシデータに対応する映像が子画面に表示される。
【０１２２】
そして、時刻「00:00:16:00」において、今度は、第２のクリップがフレーム番号「00:00:00:00」の位置からフレーム番号「00:00:14:00」の位置まで再生され、その第２のクリップに対応する映像が親画面に表示されるとともに、１乃至４チャネルの音声がスピーカ４５から出力される。それと同時に、第４のクリップのプロキシデータがフレーム番号「00:00:04:00」の位置からフレーム番号「00:00:18:00」の位置まで再生され、そのプロキシデータに対応する映像が子画面に表示される。
【０１２３】
以上のように、図６のエディットリストは、第１のクリップと第２のクリップが連続して再生され、対応する映像が親画面に表示されると同時に、第３のクリップと第４のクリップのプロキシデータが連続して再生され、対応する映像が子画面に表示されるように編集されていることを示している。
【０１２４】
なお、図６において、各ファイルのUMIDの例が上述したように記述してあるが、これらは、エディットリスト内のUMIDの記述位置等を示すだけのものであり、それらの値が意味を持たない仮想のUMIDである。即ち、図６に記載されているUMIDは、実際のUMIDとは異なる意味の無いシンボルの組合せであり、実際には、SMPTEの定める方法に基づいて作成された正当なUMIDが上述した仮想UMIDの代わりに各位置に記述される。
【０１２５】
次に、図８を参照して、図６のエディットリストで指定される親画面と子画面について説明する。
【０１２６】
図８に示すように、表示装置４６の親画面１４１の横方向のサイズは、1920画素であり、縦方向のサイズは1080画素である。また、子画面１４２の横方向のサイズは、親画面１４１の横方向のサイズである1920画素の20%である384画素であり、子画面１４２の縦方向のサイズは、親画面１４１の縦方向のサイズである1080画素の20%である216画素である。
【０１２７】
この子画面１４２は、子画面１４２の左上と親画面１４１の左端の距離が、親画面１４１の横方向のサイズである1920画素の70％である1344画素となり、子画面１４２の左上と親画面１４１の上端の距離が、親画面１４１の縦方向のサイズである1080画素の65%である702画素となるように、親画面１４１上に配置される。即ち、図８の子画面１４２は、親画面１４１の左下に配置される。
【０１２８】
図９は、図１の操作部４４のうちの、ユーザによる編集に関する操作を受け付ける編集操作部１６０の操作面を示している。
【０１２９】
図９の編集操作部１６０の上面には、図中左上側に、エディットリストの作成に関する操作を受け付ける操作ボタンが配置されるエディット領域１６１が設けられ、そのエディット領域１６１の図中下側には、表示に関する操作を受け付ける操作ボタンが配置されるディスプレイ領域１６２が設けられている。また、エディット領域１６１とディスプレイ領域１６２の図中右側には、再生に関する操作を受け付ける操作ボタンが配置される再生制御領域１６３が設けられている。
【０１３０】
エディット領域１６１には、入力（ENTRY）ボタン１７１、削除(DELETE)ボタン１７２、イン点（IN）ボタン１７３、アウト点（OUT）ボタン１７４、および開始終了（START/STOP）ボタンが配置される。
【０１３１】
入力ボタン１７１は、親画面１４１に表示される素材映像、または、子画面１４２に表示されるプロキシ映像のFTCをイン点として指定するときに、イン点ボタン１７３と同時に押下される。また、入力ボタン１７１は、親画面１４１に表示される素材映像、または、子画面１４２に表示されるプロキシ映像のFTCをアウト点として指定するときに、アウト点ボタン１７４と同時に押下される。
【０１３２】
削除ボタン１７２は、後述する再生制御対象のFTC付近のイン点の記述をエディットリストから削除するときに、イン点ボタン１７３と同時に押下される。また、削除ボタン１７２は、後述する再生制御対象のFTC付近のアウト点の記述をエディットリストから削除するときに、アウト点ボタン１７４と同時に押下される。開始終了ボタン１７５は、編集処理を開始または終了するときに、押下される。
【０１３３】
ディスプレイ領域１６２には、ピクチャインピクチャ（P-IN-P）ボタン１８１と素材編集（MATERIAL/EDIT）ボタン１８２が配置される。
【０１３４】
ピクチャインピクチャボタン１８１は、ピクチャインピクチャ表示を開始または終了するとき、押下される。なお、ピクチャインピクチャ表示とは、親画面１４１と子画面１４２に同時に映像を表示させることである。素材編集ボタン１８２は、再生対象を素材データと編集データのいずれか一方から他方に切り替えるとき、押下される。なお、素材編集ボタン１８２の内部には、LEDなどの発光素子（図示せず）が設けられ、この発光素子は、再生対象が編集データに切り替えられたとき点灯する。
【０１３５】
再生制御領域１６３には、メイン（MAIN）ボタン１９１、サブ（SUB）ボタン１９２、巻き戻し（REW）ボタン１９３、停止（STOP）ボタン１９４、再生（PLAY）ボタン１９５、早送り（FF）ボタン１９６、ダイヤル１９７、ジョグシャトル（JOG/SHUTTLE）モードボタン１９８、前（PREV）ボタン１９９、および次(NEXT)２００ボタンが設けられる。
【０１３６】
メインボタン１９１は、親画面１４１に表示される素材映像の素材データ、または編集映像の編集データを、巻き戻しボタン１９３、停止ボタン１９４、再生ボタン１９５、早送りボタン１９６、ダイヤル１９７、ジョグシャトルモードボタン１９８、前ボタン１９９、および次ボタン２００（以下では、これらを総称して再生制御ボタンという）の操作に対応する処理の対象（以下、再生制御対象という）とするときに、押下される。
【０１３７】
サブボタン１９２は、子画面１４２に表示されるプロキシ映像のプロキシデータ、または、編集映像の編集データを再生制御対象とするときに、押下される。なお、メインボタン１９１とサブボタン１９２の内部には、LEDなどの発光素子（図示せず）が設けられ、メインボタン１９１またはサブボタン１９２が押下されたとき、その内部に設けられた発光素子が点灯する。
【０１３８】
巻き戻しボタン１９３は、再生制御対象を巻き戻し再生するとき、押下される。停止ボタン１９４は、再生制御対象の再生を停止するとき、押下される。再生ボタン１９５は、再生制御対象を１倍速で再生するとき、押下される。早送りボタン１９６は、再生制御対象を早送り再生するとき、押下される。
【０１３９】
ダイヤル１９７は、再生制御対象の再生位置を移動させるときに、円周方向に回転操作される。例えば、ユーザは、ダイヤル１９７を円周に沿って時計回りに回転操作することにより、再生位置の後方への移動を指示したり、ダイヤル１９７を円周に沿って半時計周りに回転操作することにより、再生位置の前方への移動を指示する。
【０１４０】
ジョグシャトルモードボタン１９８は、ダイヤル１９７のモードをジョグモードまたはシャトルモードに設定するときに、押下される。なお、ジョグモードとは、ダイヤル１９７の操作位置の移動に応じて再生位置を移動させるモードであり、シャトルモードとは、ダイヤル１９７の操作位置の移動に応じて再生速度を変化させるモードである。
【０１４１】
前ボタン１９９は、再生制御対象に対応するクリップの１つ前のクリップの先頭のFTCに再生位置を移動させるときに、押下される。次ボタン２００は、再生制御対象に対応するクリップの１つ次のクリップの先頭のFTCに再生位置を移動させるときに、操作される。
【０１４２】
次に、図１０と図１１を参照して、ユーザが、図９の編集操作部１６０を用いて行う編集作業について説明する。
【０１４３】
図１０と図１１の表では、編集作業の各ステップの番号に対応付けて、そのステップにおける編集作業の内容、編集操作部１６０に対する操作の内容、および光ディスク装置１０による編集処理の内容が記述されている。
【０１４４】
図１０に示すように、ステップＳ１において、ユーザは、開始終了ボタン１７５を押下して、編集処理の開始を指令する。このとき、光ディスク装置１０は、エディットリストを作成する。
【０１４５】
ステップＳ２において、ユーザは、親画面１４１に表示させる編集映像の第１のサブクリップとする素材データに対応するクリップを検索する。具体的には、ユーザは、まず最初に、メインボタン１９１を押下する。このとき、光ディスク装置１０は、メインボタン１９１の内部に設けられた発光素子を点灯させ、再生制御対象を親画面１４１に表示される素材映像の素材データ、または、編集映像の編集データとする。
【０１４６】
次に、ユーザは、素材編集ボタン１８２を押下する。このとき、光ディスク装置１０は、素材編集ボタン１８２の内部に設けられた発光素子を消灯させ、再生対象を素材データとする。従って、再生制御対象は、親画面１４１に表示される素材映像の素材データとなる。
【０１４７】
その後、ユーザは、親画面１４１に表示させる編集映像の第１のサブクリップとする素材データに対応するクリップの、先頭の素材映像が、親画面１４１に表示されるまで、前ボタン１９９または次ボタン２００を押下する。
【０１４８】
即ち、ユーザが、前ボタン１９９または次ボタン２００を押下すると、光ディスク装置１０は、親画面１４１に表示される素材映像の再生位置(以下、素材再生位置という)を、１つ前のクリップの先頭のFTCまたは次のクリップの先頭のFTCに移動させ、その素材再生位置の素材映像を、親画面１４１に表示させる。従って、ユーザは、親画面１４１に表示される素材映像を見ながら、前ボタン１９９または次ボタン２００を押下して、素材再生位置を所望のクリップの先頭のFTCに移動させることにより、親画面１４１に表示させる編集映像の第１のサブクリップとする素材データに対応するクリップの先頭の素材映像を表示させる。
【０１４９】
ステップＳ３において、ユーザは、再生制御ボタンを操作することにより、親画面１４１に表示させる第１のサブクリップのイン点を検索する。
【０１５０】
即ち、ユーザが再生制御ボタンを操作すると、光ディスク装置１０は、その操作に応じて、再生制御対象である、親画面１４１に表示される素材映像の素材データの再生を制御する。つまり、光ディスク装置１０は、再生制御ボタンの操作に対応して素材再生位置を移動させる。従って、ユーザは、再生制御ボタンを操作して、素材再生位置を所望のFTCに移動させることにより、イン点として設定するFTCに対応する素材映像を親画面１４１に表示させる。
【０１５１】
ステップＳ４において、ユーザは、イン点ボタン１７３と入力ボタン１７１を同時に押下することにより、第１のサブクリップのイン点を決定する。このとき、光ディスク装置１０は、イン点ボタン１７３と入力ボタン１７１の押下時に親画面１４１に表示されている素材映像のFTCをイン点として、エディットリストに記述する。また、光ディスク装置１０は、そのイン点に対応するアウト点として、親画面１４１に表示されている素材映像に対応するクリップの終端のFTCをエディットリストに記述する。
【０１５２】
ステップＳ５において、ユーザは、ステップＳ３の処理と同様に、再生制御ボタンを操作することにより、第１のサブクリップのアウト点を検索する。なお、このとき、素材再生位置の移動範囲は、ステップＳ４でエディットリストに記述されたイン点からアウト点までの範囲内に制限される。
【０１５３】
ステップＳ６において、ユーザは、アウト点ボタン１７４と入力ボタン１７１を同時に押下することにより、第１のサブクリップのアウト点を決定する。このとき、光ディスク装置１０は、ステップＳ４でエディットリストに記述されたアウト点を、アウト点ボタン１７４と入力ボタン１７１の押下時に親画面１４１に表示されている素材映像のFTCに変更する。
【０１５４】
次に、ステップＳ７において、ユーザは、前ボタン１９９または次ボタン２００を押下することにより、親画面１４１に表示させる編集映像の第２のサブクリップとする素材データに対応するクリップを検索する。即ち、ユーザは、前ボタン１９９または次ボタン２００を押下することにより、親画面１４１に表示させる編集映像の第２のサブクリップとする素材データに対応するクリップの、先頭の素材映像を表示させる。ステップＳ８とＳ９において、ユーザは、ステップＳ３およびＳ４の作業と同様の作業を行うことにより、第２のサブクリップのイン点を検索して決定する。
【０１５５】
図１１のステップＳ１０において、ユーザは、エディットリストに記述されるイン点とアウト点により特定される、第１のサブクリップと第２のサブクリップからなる編集データに基づく編集映像を確認する。
【０１５６】
具体的には、ユーザは、まず最初に、素材編集ボタン１８２を押下する。このとき、光ディスク装置１０は、素材編集ボタン１８２の内部に設けられた発光素子を点灯させ、再生対象を編集データとする。従って、再生制御対象は、親画面１４１に表示される編集映像の編集データとなる。
【０１５７】
次に、ユーザは、再生制御ボタンを操作して、エディットリストの所望のFTCの編集映像を確認する。即ち、ユーザが再生制御ボタンを操作すると、光ディスク装置１０は、その操作に応じて、エディットリストにしたがって、再生制御対象である、親画面１４１に表示される編集映像の編集データの再生を制御する。つまり、光ディスク装置１０は、再生制御ボタンの操作に対応して、編集映像の編集データの再生位置である編集再生位置を移動させる。
【０１５８】
ステップＳ１１において、ユーザは、必要に応じて、第１のサブクリップのアウト点を修正する。具体的には、まず最初に、ユーザは、再生制御ボタンを操作することにより、修正対象とする第１のサブクリップのアウト点付近の映像を親画面１４１に表示させる。このとき、光ディスク装置１０は、ユーザによる再生制御ボタンの操作に応じて、エディットリストにしたがって、再生制御対象である親画面１４１に表示される編集映像の編集データの再生を制御する。
【０１５９】
次に、ユーザは、アウト点ボタン１７４と削除ボタン１７２を同時に押下する。このとき、光ディスク装置１０は、いま親画面１４１に表示されている編集映像の、クリップ上のFTC付近のアウト点である、第１のサブクリップのアウト点の記述をエディットリストから削除する。また、光ディスク装置１０は、素材再生位置を編集再生位置に対応する位置に設定し、再生対象を素材映像の素材データとする。
【０１６０】
その後、ユーザは、ステップＳ５およびステップＳ６の操作と同様の操作を行う。なお、このとき、素材再生位置の移動範囲は、エディットリストに記述されている第１のサブクリップのイン点から、記述が削除された第１のサブクリップのアウト点よりも予め設定された設定時間後のFTCまでの範囲内に制限される。
【０１６１】
なお、設定時間は、例えばユーザにより設定される。具体的には、ユーザは、まず最初に、操作部１６０に設けられた図示せぬメニューボタンを押下して、設定時間を設定するための設定画面を表示装置４６に表示させる。次に、ユーザは、設定画面に表示される時間を見ながら、前ボタン１９９または次ボタン２００を操作して、設定画面に表示されている時間を表す数字のうち、変更対象とする数字の桁を上位または下位に移動させる。そして、ユーザは、ダイヤル１９７を操作して、その桁の数字を変更する。設定画面に所望の時間が表示されるまで、ユーザは、変更対象とする数字の桁の移動と、その桁の数字の変更を繰り返し行い、その後、再度メニューボタンを押下することにより、そのとき設定画面に表示されている時間を設定時間として設定する。
【０１６２】
そして、ユーザは、ステップＳ１０の作業を行うことにより編集映像を確認し、第１のサブクリップのアウト点として所望のFTCがエディットリストに記述されるまで、ステップＳ１１の作業を繰り返す。
【０１６３】
ステップＳ１２において、ユーザは、必要に応じて、第２のサブクリップのイン点を修正する。具体的には、まず最初に、ユーザは、再生制御ボタンを操作することにより、修正対象とする第２のサブクリップのイン点付近の映像を親画面１４１に表示させる。このとき、光ディスク装置１０は、ステップＳ１１の処理と同様に、ユーザによる再生制御ボタンの操作に応じて、エディットリストにしたがって、再生制御対象である編集データの再生を制御する。
【０１６４】
次に、ユーザは、イン点ボタン１７３と削除ボタン１７２を同時に押下する。このとき、光ディスク装置１０は、いま親画面１４１に表示されている編集映像の、クリップ上のFTC付近のイン点である、第２のサブクリップのイン点の記述をエディットリストから削除する。また、光ディスク装置１０は、素材再生位置を編集再生位置に対応する位置に設定し、再生対象を素材映像の素材データとする。
【０１６５】
その後、ユーザは、ステップＳ８およびＳ９の操作と同様の操作を行う。なお、このとき、素材再生位置の移動範囲は、エディットリストから記述が削除された第２のサブクリップのイン点よりも設定時間前のFTCから、そのイン点に対応する第２のサブクリップのアウト点までの範囲内に制限される。
【０１６６】
そして、ユーザは、ステップＳ１０の作業を行うことにより編集映像を確認し、第２のサブクリップのイン点として所望のFTCがエディットリストに記述されるまで、ステップＳ１２の作業を繰り返す。
【０１６７】
以上の作業の後、ユーザは、ステップＳ５乃至Ｓ１２と同様の作業を繰り返し行うことにより、親画面１４１に表示させる編集映像の編集データを構成するすべてのサブクリップのイン点とアウト点を、エディットリストに記述させる。
【０１６８】
そして、この後、ユーザは、親画面１４１に表示させる編集映像のサブクリップと同様に、子画面１４２に表示させる編集映像の編集データを構成するすべてのサブクリップのイン点とアウト点を、エディットリストに記述させる。なお、この場合、ユーザは、ステップＳ１の作業を行わない。また、ユーザは、ステップＳ２でメインボタン１９１ではなく、サブボタン１９２を押下し、再生制御対象を子画面１４２に表示されるプロキシ映像のプロキシデータ、または、編集映像の編集データとする。
【０１６９】
以上のようにしてユーザが作業を行った結果、編集映像として、親画面１４１に素材映像を表示させると同時に、子画面１４２にプロキシ映像を表示させることを示すエディットリスト（図６）が光ディスク装置１０により作成される。従って、光ディスク装置１０は、このエディットリストにしたがって再生を行うことにより、１つの光ディスク４３に記録されている素材データとプロキシデータに基づく素材映像とプロキシ映像を、編集映像として表示装置４６に同時に表示させることができる。
【０１７０】
例えば、光ディスク装置１０は、１つの光ディスクに集約された、複数のカメラにより撮影（収録）されたスポーツの試合の映像の編集映像として、試合を広範囲で撮影するカメラによる素材映像を親画面に表示させると同時に、選手の様子を撮影するカメラによる同時刻の選手のプロキシ映像を子画面に表示させることができる。
【０１７１】
なお、親画面１４１に表示させる編集映像に対応するサブクリップのイン点とアウト点の記述と、子画面１４２に表示させる編集映像に対応するサブクリップのイン点とアウト点の記述は、どちらが先に行われてもよいが、後に行われる方のステップＳ１の作業は行われない。
【０１７２】
次に、図１２と図１３を参照して、図１の光ディスク装置１０が素材データをノンリニア編集する編集処理の詳細について説明する。この編集処理は、例えば、ユーザにより開始終了ボタン１７５（図９）が押下されたとき、開始される。このとき、素材再生位置は、予め設定された所定の位置（例えば、最初のクリップの先頭のFTC）に設定される。
【０１７３】
なお、図１２と図１３では、親画面１４１に表示させる編集映像に対応する素材データの編集について説明するが、子画面１４２に表示させる編集映像に対応するプロキシデータの編集についても、上述したように同様に処理が行われる。
【０１７４】
ステップＳ３１において、編集部８４は、エディットリストを作成する。編集部８４は、光ディスクドライブI/F５４（図１）を制御し、そのエディットリストをエディットリストファイルとして、光ディスク４３に記録させる。
【０１７５】
ステップＳ３２において、読出部９１は、ユーザによりメインボタン１９１が押下されたかどうか、即ち、操作部I/F５５から、ユーザによるメインボタン１９１の押下を表す操作信号を受け付けたかどうかを判定し、メインボタン１９１が押下されていないと判定した場合、メインボタン１９１が押下されるまで待機する。
【０１７６】
一方、ステップＳ３２において、メインボタン１９１が押下されたと判定された場合、ステップＳ３３において、読出部９１は、操作部I/F５５を制御し、メインボタン１９１の内部に設けられた発光素子を点灯させる。このとき、読出部９１は、再生制御対象を親画面１４１に表示される素材映像の素材データ、または、編集映像の編集データとする。
【０１７７】
ステップＳ３４において、読出部９１は、ユーザにより素材編集ボタン１８２が押下されたかどうかを判定し、素材編集ボタン１８２が押下されていないと判定した場合、素材編集ボタン１８２が押下されるまで待機する。
【０１７８】
一方、ステップＳ３４において、ユーザにより素材編集ボタン１８２が押下されたと判定された場合、ステップＳ３５において、読出部９１は、操作部I/F５５を制御し、素材編集ボタン１８２の内部に設けられた発光素子を消灯させる。このとき、再生制御対象は、親画面１４１に表示される素材映像の素材データとなる。
【０１７９】
ステップＳ３６において、編集処理部８０は、エディットリストにイン点を記述するイン点処理を行う。このイン点処理の詳細は、図１４で後述する。
【０１８０】
ステップＳ３７において、編集処理部８０は、エディットリストにアウト点を記述するアウト点処理を行う。このアウト点処理の詳細は、図１５で後述する。
【０１８１】
ステップＳ３８において、編集部８４は、編集処理を終了するかどうかを判定する。具体的には、編集部８４は、ユーザにより編集処理の終了を指令するために開始終了ボタン１７５が押下されるか、または、子画面１４２に表示させる編集映像に対応するプロキシデータを編集するためにサブボタン１９２が押下される場合、編集処理を終了すると判定し、それ以外の場合、編集処理を終了しないと判定する。
【０１８２】
ステップＳ３８において、編集処理を終了すると判定された場合、処理は終了する。一方、ステップＳ３８において、編集処理を終了しないと判定された場合、ステップＳ３９において、ステップＳ３６の処理と同様にイン点処理を行う。
【０１８３】
ステップＳ４０において、読出部９１は、ユーザにより素材編集ボタン１８２が押下されたかどうかを判定し、素材編集ボタン１８２が押下されていないと判定した場合、ステップＳ３７に戻り、上述した処理が繰り返される。
【０１８４】
一方、ステップＳ４０において、ユーザにより素材編集ボタン１８２が押下されたと判定された場合、ステップＳ４１において、読出部９１は、操作部I/F５５を制御し、素材編集ボタン１８２を点灯させる。このとき、再生制御対象は、親画面１４１に表示される編集映像の編集データとなる。
【０１８５】
図１３のステップＳ４２において、読出部９１は、ユーザにより再生制御ボタンが操作されたかどうかを判定する。ステップＳ４２において、再生制御ボタンが操作されていないと判定された場合、処理はステップＳ４３乃至Ｓ４５をスキップし、ステップＳ４６に進む。
【０１８６】
一方、ステップＳ４３において、再生制御ボタンが操作されたと判定された場合、読出部９１は、再生制御ボタンの操作に応じて、光ディスク４３に記録されているエディットリストにしたがって、編集データの再生を制御する。具体的には、読出部９１は、再生制御ボタンの操作に応じて、編集再生位置を設定する。例えば、読出部９１は、再生制御ボタンである再生ボタン１９５の操作に応じて、現在の編集再生位置の次のフレームを、新たな編集再生位置として設定する。なお、編集処理の開始時には、編集再生位置は、予め設定された所定の位置（例えば、エディットリスト上の先頭のFTC）に設定されている。
【０１８７】
ステップＳ４４において、再生対象読出部８１は、編集再生位置の編集データを読み出す。具体的には、再生対象読出部８１の読出部９１は、エディットリストにしたがって、光ディスク４３から、編集再生位置に対応する素材データを編集データとして含むセットを読み出し、分離部９２に供給する。分離部９２は、読出部９１から供給されるセットから、年輪映像データと年輪音声データを分離する。分離部９２は、一時記憶メモリI/F５３を制御し、その年輪映像データと年輪音声データを一時記憶メモリ６４の素材領域７１に記憶させる。
【０１８８】
ステップＳ４５において、表示制御部８２は、素材領域７１に記憶されている編集再生位置に対応する素材データのうちの映像データを、編集データのうちの映像データとして、その映像データに基づいて、編集映像を表示装置４６の親画面１４１に表示させる。具体的には、表示制御部８２は、素材領域７１から編集再生位置に対応する編集データのうちの映像データを読み出し、その映像データに基づいて、親画面１４１に編集映像を表示させるための映像データを生成する。そして、表示制御部８２は、その映像データを映像表示I/F５８に供給することにより、親画面１４１に編集映像を表示させる。
【０１８９】
なお、このとき、出力部８３は、素材領域７１から編集再生位置の素材データのうちの音声データを、編集データのうちの音声データとして読み出し、その音声データを音声出力I/F５６を介してスピーカ４５に供給することにより、編集映像に対応する音声を出力させる。
【０１９０】
ステップＳ４６において、編集部８４は、ユーザによりアウト点ボタン１７４と削除ボタン１７２が同時に押下されたかどうかを判定し、アウト点ボタン１７４と削除ボタン１７２が同時に押下されたと判定した場合、ステップＳ４７において、編集部８４は、エディットリストから、いま親画面１４１に表示されている編集映像の、クリップ上のFTC付近のアウト点の記述を削除する。具体的には、編集部８４は、読出部９１から現在設定されている編集再生位置を表す情報を取得し、その情報が表す編集再生位置に対応するクリップ上のFTC付近のアウト点の記述を、エディットリストから検索して、その記述を削除する。
【０１９１】
ステップＳ４８において、編集処理部８０は、図１２のステップＳ３７と同様にアウト点処理を行う。そして、処理は図１２のステップＳ４０に戻り、上述した処理が繰り返される。
【０１９２】
また、ステップＳ４６において、ユーザによりアウト点ボタン１７４と削除ボタン１７２が同時に押下されていないと判定された場合、ステップＳ４９において、編集部８４は、ユーザによりイン点ボタン１７３と削除ボタン１７２が同時に押下されたかどうかを判定する。
【０１９３】
ステップＳ４９において、ユーザによりイン点ボタン１７３と削除ボタン１７２が同時に押下されたと判定した場合、ステップＳ５０において、編集部８４は、エディットリストから、いま親画面１４１に表示されている編集映像の、クリップ上のFTC付近のイン点の記述を削除する。
【０１９４】
ステップＳ５１において、編集処理部８０は、図１２のステップＳ３６やＳ３９の処理と同様にイン点処理を行う。そして、処理は図１２のステップＳ４０に戻り、上述した処理が繰り返される。
【０１９５】
また、ステップＳ４９において、ユーザによりイン点ボタン１７３と削除ボタン１７２が同時に押下されていないと判定された場合、ステップＳ５２において、読出部９１は、ユーザにより素材編集ボタン１８２が押下されたかどうかを判定する。ステップＳ５２において、素材編集ボタン１８２が押下されていないと判定された場合、処理はステップＳ４２に戻り、上述した処理が繰り返される。
【０１９６】
一方、ステップＳ５２において、素材編集ボタン１８２が押下されたと判定された場合、即ち、ユーザがイン点とアウト点を修正しない場合、処理は図１２のステップＳ３７に戻り、上述した処理が繰り返される。
【０１９７】
次に、図１４を参照して、イン点処理の詳細について説明する。
【０１９８】
ステップＳ７１において、読出部９１は、ユーザにより前ボタン１９９または次ボタン２００が押下されたかどうかを判定し、押下されたと判定した場合、ステップＳ７２において、読出部９１は、現在設定されている素材再生位置に対応するクリップの１つ前または次のクリップの先頭のFTCを、新たな素材再生位置として設定する。そして、処理はステップＳ７５に進む。
【０１９９】
なお、図１３のステップＳ５１のイン点処理では、ステップＳ７１とステップＳ７２の処理は行われず、ステップＳ７３の処理から処理が開始される。
【０２００】
一方、ステップＳ７１において、ユーザにより前ボタン１９９または次ボタン２００が押下されていないと判定した場合、ステップＳ７３において、読出部９１は、ユーザにより再生制御ボタンが操作されたかどうかを判定する。
【０２０１】
ステップＳ７３において、ユーザにより再生制御ボタンが操作されていないと判定された場合、処理は、ステップＳ７５とＳ７６をスキップしてステップＳ７７に進む。
【０２０２】
一方、ステップＳ７３において、ユーザにより再生制御ボタンが操作されたと判定された場合、ステップＳ７４において、読出部９１は、再生制御ボタンの操作に応じて、素材データの再生を制御する。具体的には、読出部９１は、再生制御ボタンの操作に応じて、素材再生位置を設定する。
【０２０３】
なお、図１２のステップＳ３６またはＳ３９のイン点処理では、素材再生位置の移動範囲は制限されないが、図１３のステップＳ５１のイン点処理では、素材再生位置の移動範囲は、エディットリストに記述されている、ステップＳ５０で記述が削除されたイン点よりも設定時間前のFTCから、そのイン点に対応するアウト点までの範囲内に制限される。ステップＳ７４の処理後、処理はステップＳ７５に進む。
【０２０４】
ステップＳ７５において、再生対象読出部８１は、素材再生位置の素材データを読み出す。ステップＳ７６において、表示制御部８２は、素材領域７１に記憶されている素材再生位置の素材データのうちの映像データに基づいて、素材映像を表示装置４６の親画面１４１に表示させる。なお、このとき、出力部８３は、素材領域７１から素材再生位置の素材データのうちの音声データを読み出し、音声出力I/F５６を介してスピーカ４５に供給することにより、素材映像に対応する音声を出力させる。
【０２０５】
ステップＳ７７において、編集部８４は、ユーザによりイン点ボタン１７３と入力ボタン１７１が同時に押下されたかどうかを判定する。ステップＳ７７において、イン点ボタン１７３と入力ボタン１７１が同時に押下されていないと判定された場合、処理はステップＳ７１に戻り、上述した処理が繰り返される。
【０２０６】
一方、ステップＳ７７において、イン点ボタン１７３と入力ボタン１７１が同時に押下されたと判定された場合、ステップＳ７８において、編集部８４は、親画面１４１に表示されている素材映像のFTCをイン点としてエディットリストに記述する。
【０２０７】
具体的には、編集部８４は、現在設定されている素材再生位置を表す情報を読出部９１から取得し、その情報が表す素材再生位置をイン点として、エディットリストに記述する。なお、図１２のステップＳ３６とＳ３９の処理では、このとき、編集部８４は、素材再生位置の素材データに対応するクリップのUMID、記述されたイン点に対応するサブクリップが開始されるエディットリストのFTC、再生チャネル、および出力チャネルに関する記述も行う。
【０２０８】
なお、ここでは、再生チャネルと出力チャネルが予め決められているものとするが、ユーザが再生チャネルと出力チャネルを決定するようにしてもよい。この場合、例えば、編集操作部１６０には、再生チャネルと出力チャネルを設定するための操作ボタンが設けられる。
【０２０９】
ステップＳ７９において、編集部８４は、親画面１４１に表示されている素材映像に対応するクリップの終端のFTCをアウト点として、エディットリストに記述する。そして、処理は、図１２のステップＳ３６またはＳ３９、もしくは、図１３のステップＳ５１に戻る。
【０２１０】
次に、図１５を参照して、アウト点処理の詳細について説明する。
【０２１１】
ステップＳ９１において、読出部９１は、ユーザにより再生制御ボタンが操作されたかどうかを判定し、ユーザにより再生制御ボタンが操作されていないと判定した場合、処理はステップＳ９２をスキップし、ステップＳ９３に進む。
【０２１２】
一方、ステップＳ９１において、ユーザにより再生制御ボタンが操作されたと判定された場合、ステップＳ９２において、読出部９１は、再生制御ボタンの操作に応じて、素材データの再生を制御する。なお、図１２のステップＳ３７のアウト点処理では、素材再生位置の移動範囲は、エディットリストに記述されているイン点からアウト点までの範囲内に制限され、図１３のステップＳ４８のアウト点処理では、素材再生位置の移動範囲は、ステップＳ４７で記述が削除されたアウト点に対応するイン点から、そのアウト点よりも設定時間後のFTCまでの範囲内に制限される。そして、処理はステップＳ９３に進む。
【０２１３】
ステップＳ９３において、編集部８４は、ユーザによりアウト点ボタン１７４と入力ボタン１７３が同時に押下されたかどうかを判定し、アウト点ボタン１７４と入力ボタン１７１が同時に押下されていないと判定した場合、処理はステップＳ９１に戻り、上述した処理が繰り返される。
【０２１４】
一方、ステップＳ９３において、アウト点ボタン１７４と入力ボタン１７３が同時に押下されたと判定された場合、ステップＳ９４において、編集部８４は、親画面１４１に表示されている素材映像のFTCをアウト点として、エディットリストに記述する。そして、処理は、図１２のステップＳ３７または図１３のステップＳ４８に戻る。
【０２１５】
また、図１の光ディスク装置１０において、マイコン５２は、所定のプログラムを実行することにより、エディットリストにしたがって編集データを再生する再生処理部として機能する。
【０２１６】
図１６は、そのような再生処理部２１０の機能的な構成例を示している。
【０２１７】
図１６の再生処理部２１０は、エディットリスト読出部２１１、素材データ読出部２１２、プロキシデータ読出部２１３、合成部２１４、および出力部２１５により構成される。なお、各部は、必要に応じて相互にデータを授受することが可能とされている。
【０２１８】
エディットリスト読出部２１１は、図１の光ディスクドライブI/F５４を制御して、光ディスク４３からエディットリストを読み出し、合成部２１４と出力部２１５に供給する。エディットリスト読出部２１１は、読み出したエディットリストにしたがって、親画面１４１に表示される編集映像のサブクリップを表す情報（以下、親画面情報という）を素材データ読出部２１２に供給し、子画面１４２に表示される編集映像のサブクリップを表す情報（以下、子画面情報という）をプロキシデータ読出部２１３に供給する。
【０２１９】
素材データ読出部２１２は、セット読出部２２１と分離部２２２により構成される。
【０２２０】
セット読出部２２１は、光ディスクドライブI/F５４を制御し、エディットリスト読出部２１１から供給される親画面情報に基づいて、サブクリップの素材データが含まれるセットを光ディスク４３から読み出す。セット読出部２２１は、読み出したセットを分離部２２２に供給する。
【０２２１】
分離部２２２は、セット読出部２２１から供給されるセットから、年輪映像データと年輪音声データを分離する。分離部２２２は、一時記憶メモリI/F５３を制御し、年輪映像データと年輪音声データを、一時記憶メモリ６４の素材領域７１に記憶させる。
【０２２２】
プロキシデータ読出部２１３は、光ディスクドライブI/F５４を制御し、エディットリスト読出部２１１から供給される子画面情報に基づいて、サブクリップのプロキシデータが含まれるセットのプロキシデータを、光ディスク４３から読み出す。プロキシデータ読出部２１３は、読み出したプロキシデータを、一時記憶メモリ６４のプロキシ領域７２に記憶させる。
【０２２３】
合成部２１４は、エディットリスト読出部２１１から供給されるエディットリストにしたがって、編集再生位置を順次設定し、その編集再生位置を出力部２１５に供給する。また、合成部２１４は、一時記憶メモリ６４の素材領域７１から、編集再生位置の素材データのうちの映像データを読み出すとともに、プロキシ領域７２から、編集再生位置のプロキシデータのうちの映像データを読み出す。
【０２２４】
さらに、合成部２１４は、編集映像のうちの素材映像が親画面１４１に表示されるとともに、編集映像のうちのプロキシ映像が子画面１４２に表示されるように、読み出した素材データとプロキシデータのうちの映像データを合成する。合成部２１４は、その結果得られる合成データを映像表示I/F５８に供給する。その結果、編集映像として表示装置４６の親画面１４１に素材映像が表示されると同時に、子画面１４２にプロキシ映像が表示される。
【０２２５】
出力部２１５は、エディットリスト読出部２１１から供給されるエディットリストと、合成部２１４から供給される編集再生位置とに基づいて、その編集再生位置の素材データのうちの音声データを素材領域７１から読み出したり、編集再生位置のプロキシデータのうちの音声データをプロキシ領域７２から読み出す。また、出力部２１５は、読み出した音声データを音声出力I/F５６に供給することにより、編集映像に対応する音声を出力する。
【０２２６】
次に、図１の光ディスク装置１０が、エディットリストにしたがって編集データを再生する再生処理について説明する。この再生処理は、例えば、ユーザが操作部４４を操作して、所望のエディットリストを指定したとき、開始される。このとき、編集再生位置は、予め設定された所定の位置（例えば、エディットリスト上の先頭のFTC）に設定される。
【０２２７】
次に、図１７を参照して、図１の光ディスク装置１０が編集データを再生する再生処理について説明する。この再生処理は、例えば、ユーザによりエディットリストが指定されたとき、開始される。
【０２２８】
ステップＳ１１１において、エディットリスト読出部２１１は、光ディスクドライブI/F５４を制御して、光ディスク４３から、ユーザにより指定されたエディットリストを読み出し、合成部２１４と出力部２１５に供給する。エディットリスト読出部２１１は、読み出したエディットリストにしたがって、親画面情報を素材データ読出部２１２に供給し、子画面情報をプロキシデータ読出部２１３に供給する。
【０２２９】
ステップＳ１１２において、セット読出部２２１は、光ディスクドライブI/F５４を制御し、エディットリスト読出部２１１から供給される親画面情報に基づいて、サブクリップの素材データが含まれるセットを光ディスク４３から読み出す。セット読出部２２１は、読み出したセットを分離部２２２に供給する。
【０２３０】
ステップＳ１１３において、分離部２２２は、セット読出部２２１から供給されるセットから、年輪映像データと年輪音声データを分離する。分離部２２２は、一時記憶メモリI/F５３を制御し、年輪映像データと年輪音声データを、一時記憶メモリ６４の素材領域７１に記憶させる。
【０２３１】
ステップＳ１１４において、プロキシデータ読出部２１３は、光ディスクドライブI/F５４を制御し、エディットリスト読出部２１１から供給される子画面情報に基づいて、サブクリップのプロキシデータが含まれるセットのプロキシデータを、光ディスク４３から読み出す。プロキシデータ読出部２１３は、読み出したプロキシデータを、一時記憶メモリ６４のプロキシ領域７２に記憶させる。
【０２３２】
ステップＳ１１５において、合成部２１４は、一時記憶メモリ６４の素材領域７１に記憶されている編集再生位置の素材データのうちの映像データと、プロキシ領域７２に記憶されている編集再生位置のプロキシデータのうちの映像データとを、親画面１４１に編集映像のうちの素材映像が表示されると同時に、子画面１４２に編集映像のうちのプロキシ映像が表示されるように合成する。そして、合成部２１４は、合成データを映像表示I/F５８に供給する。
【０２３３】
ステップＳ１１６において、映像表示I/F５８は、合成部２１４から供給される合成データに基づいて、編集映像のうちの素材映像を親画面１４１に表示させるとともに、編集映像のうちのプロキシ映像を子画面１４２に表示させる。
【０２３４】
ステップＳ１１７において、合成部２１４は、エディットリストに対応する編集映像がすべて表示装置４６に表示されたかどうか、即ち、エディットリスト上のすべてのFTCを編集再生位置として設定したかどうかを判定する。
【０２３５】
ステップＳ１１７において、エディットリストに対応する編集映像がすべて表示装置４６に表示されていないと判定された場合、合成部２１４は、エディットリストにしたがって、編集再生位置を変更し、処理はステップＳ１１５に戻り、上述した処理が繰り返される。
【０２３６】
一方、ステップＳ１１７において、エディットリストに対応する編集映像がすべて表示装置４６に表示されたと判定された場合、処理は終了する。
【０２３７】
なお、親画面１４１と子画面１４２のサイズは、異なっていてもよいし、同一であってもよい。また、表示装置４６に設けられる編集映像が同時に表示される画面の数は、２以上であってもよい。さらに、親画面１４１と子画面１４２の両方に素材映像を表示させたり、両方にプロキシ映像を表示させるようにしてもよい。
【０２３８】
また、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０２３９】
さらに、本発明の実施の形態は、上述した実施の形態に限定されるものではなく、本発明の要旨を逸脱しない範囲において種々の変更が可能である。
【図面の簡単な説明】
【０２４０】
【図１】本発明を適用した光ディスク装置の一実施の形態の構成例を示すブロック図である。
【図２】編集処理部の機能的な構成例を示すブロック図である。
【図３】光ディスクに記録されているファイルのディレクトリ構造の例を示す図である。
【図４】クリップファイルとプロキシファイルのフォーマットの例を示す図である。
【図５】クリップファイルとプロキシファイルのデータの光ディスク上の記録位置について説明する図である。
【図６】エディットリストファイルのエディットリストの例を示す図である。
【図７】編集データの再生について説明する図である。
【図８】表示装置の表示領域に設けられる親画面と子画面について説明する図である。
【図９】編集操作部の操作面を示す図である。
【図１０】編集作業について説明する図である。
【図１１】編集作業について説明する他の図である。
【図１２】編集処理の詳細について説明するフローチャートである。
【図１３】編集処理の詳細について説明する他のフローチャートである。
【図１４】イン点処理の詳細について説明するフローチャートである。
【図１５】アウト点処理の詳細について説明するフローチャートである。
【図１６】再生処理部の機能的な構成例を示すブロック図である。
【図１７】再生処理について説明するフローチャートである。
【符号の説明】
【０２４１】
１０  光ディスク装置，  ４３  光ディスク,  ４６  表示装置，  ５８  映像表示I/F,  ８１  再生対象読出部,  ８２  表示制御部,  ８４  編集部，  １４１  親画面，  １４２  子画面，  １７１  入力ボタン，  １７３  イン点ボタン，  １７４  アウト点ボタン，  １８２  素材編集ボタン,  １９１  メインボタン，  １９２  サブボタン，  ２１１  エディットリスト読出部,  ２１２  素材データ読出部,  ２１３  プロキシデータ読出部,  ２１４  合成部,  ２１５  出力部
【図１】
2008177955.tif 000003
【図２】
2008177955.tif 000004
【図３】
2008177955.tif 000005
【図４】
2008177955.tif 000006
【図５】
2008177955.tif 000007
【図６】
2008177955.tif 000008
【図７】
2008177955.tif 000009
【図８】
2008177955.tif 000010
【図９】
2008177955.tif 000011
【図１０】
2008177955.tif 000012
【図１１】
2008177955.tif 000013
【図１２】
2008177955.tif 000014
【図１３】
2008177955.tif 000015
【図１４】
2008177955.tif 000016
【図１５】
2008177955.tif 000017
【図１６】
2008177955.tif 000018
【図１７】
2008177955.tif 000019